(57)【要約】【課題】本発明は、アミューズメント性を確保した上で、建築物のアメニティをも維持することのできる回転遊戯設備付き建築物を提供する。【解決手段】回転遊戯体５は、円盤形状を有しており、外周面には複数のゴンドラ８が配置される。回転遊戯体５は、その径が鉛直軸と同軸となるように配置され、回転軸６を中心軸として、鉛直方向に回転する。回転軸６は、両端部を２体の支持構造体７に支えられて、水平を維持するように配置される。２体の支持構造体７は、対をなして離間配置され、建築物２の屋上部３に立設される。また、屋上部３で回転遊戯体５の最下点近傍には風除け室９が設けられる。さらに、建築物２の屋上部３で、対をなす支持構造体７に挟まれた領域内には、採光天窓が設けられる。一方、建築物２の屋内で、採光天窓の下方に位置する屋内構造は、吹き抜け構造１３が形成される。【選択図】　図２
2004052368.tif 000002
【特許請求の範囲】
【請求項１】
建築物の屋上部に離間配置された対をなす支持構造体と、
対をなす前記支持構造体に両端部を支持されて、水平に配置される回転軸と、
該回転軸を中心軸として鉛直方向に回転する回転遊戯体と、
該回転遊戯体を回転駆動する駆動装置と、により構成される回転遊戯設備が備えられた回転遊戯設備付き建築物であって、
対をなす前記支持構造体に挟まれた前記建築物の屋上部の床面が、採光天窓により構成されることを特徴とする回転遊戯設備付き建築物。
【請求項２】
請求項１に記載の回転遊戯設備付き建築物において、
前記採光天窓の下方に位置する前記建築物の屋内構造が、吹き抜け構造を構成していることを特徴とする回転遊戯設備付き建築物。
【請求項３】
請求項１または２に記載の回転遊戯設備付き建築物において、
前記回転遊戯体の回転軌跡が、前記採光天窓よりも上方に位置することを特徴とする回転遊戯設備付き建築物。
【発明の詳細な説明】
【０００１】
【発明の属する技術分野】
本発明は、アミューズメント性を確保した上で、建築物のアメニティをも維持することのできる回転遊戯設備付き建築物に関する。
【０００２】
【従来の技術】
従来より、建築物２の屋上に回転遊戯設備４が備えられた回転遊戯設備付き建築物１は、図４（ａ）に示すように、建築物２の屋上部３に複数の屋上建物３ａを離間配置して、これら屋上建物３ａに両側面を挟まれる位置に回転遊戯設備４を構築する構成や、図４（ｂ）に示すように、前記建築物２の屋上部３に鉛直下方向の凹部３ｂを設け、該凹部３ｂの中に回転遊戯体５が回転する際の回転軌跡の一部が位置するように回転遊戯設備４を構築する構成となっていた。
【０００３】
【発明が解決しようとする課題】
しかし、このような構成は、建築物２の構造が複雑なものとなるため、施工性を欠くとともに、コストが高くなりやすいといった問題が生じる。また、寒冷地では、前記屋上部３に設けた凹部３ｂや複数が離間して配置された屋上建物３ａの間に、雪だまりやつらら等ができやすく、メンテナンスの必要が生じるとともに、雪やつららの落下等による周辺近隣への安全性も考慮する必要が生じる。
【０００４】
上記事情に鑑み、本発明は、アミューズメント性を確保した上で、建築物のアメニティをも維持することのできる回転遊戯設備付き建築物を提供することを目的としている。
【０００５】
【課題を解決するための手段】
請求項１記載の回転遊戯設備付き建築物は、建築物の屋上部に離間配置された対をなす支持構造体と、対をなす前記支持構造体に両端部を支持されて、水平に配置される回転軸と、該回転軸を中心軸として鉛直方向に回転する回転遊戯体と、該回転遊戯体を回転駆動する駆動装置と、により構成される回転遊戯設備が備えられた回転遊戯設備付き建築物であって、対をなす前記支持構造体に挟まれた前記建築物の屋上部の床面が、採光天窓により構成されることを特徴としている。
【０００６】
請求項２記載の回転遊戯設備付き建築物は、前記採光天窓の下方に位置する前記建築物の屋内構造が、吹き抜け構造を構成していることを特徴としている。
【０００７】
請求項３記載の回転遊戯設備付き建築物は、前記回転遊戯体の回転軌跡が、前記採光天窓よりも上方に位置することを特徴としている。
【０００８】
【発明の実施の形態】
以下、本発明の回転遊戯設備付き建築物について、図１から図３を用いて詳述する。本発明の回転遊戯設備付き建築物は、建築物の屋上部に設けられた回転遊戯設備を構成する回転遊戯体が前記屋上部の床面よりも上方で回転するとともに、前記回転遊戯体の下方の床面は、前記建築物の屋内における採光を考慮した採光天窓が設けられたものである。
【０００９】
図１に示すように、回転遊戯設備付き建築物１は、建築物２と、その屋上部３に設けられた回転遊戯設備４とにより構成される。
前記回転遊戯設備４は、一般に用いられるものと同様のもので、回転遊戯体５と、回転軸６と、支持構造体７と、図示しない駆動装置により構成される。前記回転遊戯体５は、円盤形状を有しており、その外周面には、一定の間隔を持って複数のゴンドラ８が配置されている。
【００１０】
図２は、図１に示す平面図のＡＡ’方向から見た断面図であるが、これを見ると該回転遊戯体５は、その径が鉛直軸と同軸となるように配置されて、円心を貫通するように配置される回転軸６を中心軸として、図示しない駆動装置により鉛直方向に回転する。図３は、図１に示す平面図のＢＢ’方向から見た断面図であるが、これを見ると該回転軸６は、その両端部を２体の支持構造体７に支えられて、水平を維持するように配置されている。２体の該支持構造体７は、対をなして離間配置されており、前記建築物２の屋上部３に立設されている。
【００１１】
また、該屋上部３で前記回転遊戯体５の最下点近傍には風除け室９が設けられている。該風除け室９は、前記回転遊戯体５に取り付けられたゴンドラ８に乗降する際に、乗降者が雨、雪、風等を受けないように機能するものである。
【００１２】
このような構造による回転遊戯設備４は、前記回転遊戯体５が前記建築物２の屋上部３の床面より上方で回転する構成となっており、前記建築物２の構造に何ら制約を与えるものではない。
【００１３】
該回転遊戯設備４が屋上部３に設けられた前記建築物２は、柱１０と梁１１とによりなるラーメン構造により構築される。また、図１に示すように、該建築物２の屋上部３で、対をなす前記支持構造体７に挟まれた領域内には、採光天窓１２が設けられている。該採光天窓１２は、前記建築物２の内方にまで太陽光を取り入れることにより屋内を明るくし、開放感を持たせる機能を有するものである。
【００１４】
ここで、前記回転遊戯設備４の対をなす支持構造体７に挟まれた領域の高さ方向は、前記回転遊戯体５が回転する軌道に位置するため、屋上部３の床面のみは利用可能であるが、空間利用としては不可能なデッドスペースとなる。一方で、屋上部３の床面に前記採光天窓１２を設けると、該採光天窓１２の上面が利用できないが、空間のみであれば利用可能なスペースとなる。したがって、これらを組み合わせて対をなす前記支持構造体７の間の領域に採光天窓１２を設けることにより、両者の利用可能なスペースを有効活用するものである。
【００１５】
また、図２、図３に示すように、前記建築物２の屋内で、該採光天窓１２の下方に位置する屋内構造は、吹き抜け構造１３が形成されている。これは、前記採光天窓１２より得られる太陽光を前記建築物２の屋内全体に到達させ、屋内を明るくする機能を有するものである。本実施の形態では、該吹き抜け構造１３を前記建築物２の上層の複数階に設ける構造としたが、これにこだわるものではなく、前記建築物２の屋内すべての階に吹き抜け構造１３を用いてもよい。
【００１６】
上述する構成によれば、前記回転遊戯設備４の対をなす支持構造体７に挟まれた空間に、前記採光天窓１２を設けることから、回転遊戯設備付き建築物１の屋上部で、前記回転遊戯体５の軌跡が上方に位置する床面を有効に利用することができるとともに、前記建築物２の屋内を明るく、開放感のある空間とすることができるため、屋内の利用者は建築物２の屋内からゴンドラ８の動きを見上げることができ、一方、ゴンドラ８の乗客は、建築物２の屋内の様子が空中から伺うことができるといった日常では味わえない回転遊戯設備付き建築物１のアミューズメント性を確保した上で、建築物２のアメニティを維持することが可能となる。
さらに、前記採光天窓１２を開閉可能とすると、建築物２の屋内の通気性や換気性を向上させることが可能となる。
【００１７】
前記建築物２の採光天窓１２が設けられた下方の内部構造には、吹き抜け構造１３が用いられていることから、建築物２の下層にまで通気性を確保できるとともに、太陽光を取り入れることができるため、建築物２の屋内に明るく開放感のある空間を提供することが可能となる。
【００１８】
前記回転遊戯設備４の回転遊戯体５の軌跡が、前記建築物２に設けられた採光天窓１２の上方に位置することから、前記建築物２の屋上部３の構造が単純で施工性を向上するだけでなく、寒冷地では雪の吹きだまりやつらら等が生じることがなく、メンテナンスが不要になるとともに、回転遊戯体５に設けられたゴンドラ８の視界を遮るものがないため、前記ゴンドラ８からは良好な眺望を得ることが可能となる。
【００１９】
【発明の効果】
請求項１記載の回転遊戯設備付き建築物によれば、建築物の屋上部に離間配置された対をなす支持構造体と、対をなす前記支持構造体に両端部を支持されて、水平に配置される回転軸と、該回転軸を中心軸として鉛直方向に回転する回転遊戯体と、該回転遊戯体を回転駆動する駆動装置と、により構成される回転遊戯設備が備えられた回転遊戯設備付き建築物であって、対をなす前記支持構造体に挟まれた前記建築物の屋上部の床面が、採光天窓により構成されることから、回転遊戯設備付き建築物の屋上部で、前記回転遊戯体の軌跡が上方に位置する床面を有効に利用することができるとともに、前記建築物の屋内を明るく、開放感のある空間とすることができるため、屋内の利用者は建築物の屋内からゴンドラの動きを見上げることができ、一方、ゴンドラの乗客は、建築物の屋内の様子が空中から伺うことができるといった日常では味わえない回転遊戯設備付き建築物のアミューズメント性を確保した上で、建築物のアメニティを維持することが可能となる。
【００２０】
請求項２記載の回転遊戯設備付き建築物によれば、前記採光天窓の下方に位置する前記建築物の屋内構造が、吹き抜け構造を構成していることから、建築物の下層にまで通気性を確保できるとともに、太陽光を取り入れることができるため、建築物の屋内に明るく開放感のあるアメニティ空間を提供することが可能となる。
【００２１】
請求項３記載の回転遊戯設備付き建築物によれば、前記回転遊戯体の回転軌跡が、前記採光天窓よりも上方に位置することから、前記建築物の屋上部の構造が単純で施工性を向上するだけでなく、寒冷地では雪の吹きだまりやつらら等が生じることがなく、メンテナンスが不要になるとともに、回転遊戯体に設けられたゴンドラの視界を遮るものがないため、前記ゴンドラからは良好な眺望を得ることができ、アミューズメント性を確保することが可能となる。
【図面の簡単な説明】
【図１】本発明に係る回転遊戯設備付き建築物の平面図である。
【図２】本発明に係る回転遊戯設備付き建築物のＡＡ’方向の断面図である。
【図３】本発明に係る回転遊戯設備付き建築物のＢＢ’方向の断面図である。
【図４】従来の回転遊戯設備付き建築物を示す図である。
【符号の説明】
１　回転遊戯設備付き建築物
２　建築物
３　屋上部
３ａ　屋上建築物
３ｂ　凹部
４　回転遊戯設備
５　回転遊戯体
６　回転軸
７　支持構造体
８　ゴンドラ
９　風除け室
１０　柱
１１　梁
１２　採光天窓
１３　吹き抜け構造
【図１】
2004052368.tif 000003
【図２】
2004052368.tif 000004
【図３】
2004052368.tif 000005
【図４】
2004052368.tif 000006